(57)【要約】【課題】より適切に磁気による効果を与えることができる磁気敷物および磁気治療器を提供する。【解決手段】複数の永久磁石２を散在させて埋込んだ敷きマット１では、それぞれの永久磁石２に対応させて、永久磁石２の表面側に、敷きマット１の材料である表側層４のポリウレタンを圧縮させた磁気緩和部８を設けてある。これにより、強い磁力の永久磁石２を用いた場合にも、磁気緩和部８によって永久磁石２の磁気を緩和しつつ、強い磁力によって磁気の長い到達距離を確保でき、永久磁石２に近い部分にも遠い部分にもより適切に磁気による効果を与えることができる。【選択図】図３
2010051587.tif 000002
【特許請求の範囲】
【請求項１】
複数の永久磁石を散在させて埋込んだ磁気敷物において、それぞれの永久磁石に対応させて、当該永久磁石の表面側に、敷物の材料を圧縮成形した磁気緩和部を設けたことを特徴とする磁気敷物。
【請求項２】
前記永久磁石の裏面に、その周縁部が当該永久磁石の外周から鍔状に張り出すバックヨークを設けたことを特徴とする請求項１に記載の磁気敷物。
【請求項３】
前記磁気緩和部は、敷物の材料を熱成形により圧縮してなることを特徴とする請求項１または２に記載の磁気敷物。
【請求項４】
敷物は前記永久磁石を挟み込む表側層と裏側層とを備え、当該表側層の内面に永久磁石を嵌挿する凹部を設けたことを特徴とする請求項１〜３のいずれか１つに記載の磁気敷物。
【請求項５】
前記磁気緩和部は、中央部が盛り上がるドーム状に形成したことを特徴とする請求項１〜４のいずれか１つに記載の磁気敷物。
【請求項６】
前記磁気緩和部のドーム状に盛り上げた頂部を、永久磁石を設けていない一般部分の表面より引っ込ませたことを特徴とする請求項５に記載の磁気敷物。
【請求項７】
複数の永久磁石を散在させて埋込んだ磁気敷物において、それぞれの永久磁石の表面側を覆う第一層と、当該第一層のさらに表面側に配置される第二層と、を備え、前記第一層を前記第二層よりも圧縮性の低い材料で形成したことを特徴とする磁気敷物。
【請求項８】
永久磁石を内蔵する磁気治療器であって、前記永久磁石の裏面に、その周縁部が当該永久磁石の外周から鍔状に張り出すバックヨークを設けたことを特徴とする磁気治療器。
【発明の詳細な説明】
【技術分野】
【０００１】
本発明は、複数の永久磁石を散在させて埋込んだ磁気敷物および磁気治療器に関する。
【背景技術】
【０００２】
従来、マットや布団などの敷物の内部に複数の永久磁石を散在させて埋込んだ磁気敷物（磁気治療器）がある。例えば、特許文献１には、布団に複数の永久磁石を埋込んだものが開示されている。この場合、シート片の中心部に永久磁石を結着して、そのシート片を布団の表面を覆う布団地の内面に接着剤によって溶着することにより、布団の内部に複数の永久磁石を埋込むようになっている。
【０００３】
このように、永久磁石を布団地の内面に取り付けることにより、布団に使用者が横たわった場合に、人体に最も近い場所に永久磁石を配置できるようになっている（例えば、特許文献１参照）。
【特許文献１】実開平２−７４０４９号公報
【発明の開示】
【発明が解決しようとする課題】
【０００４】
しかしながら、かかる従来の磁気敷物では、永久磁石は、人体が当接する布団地の内面に取り付けてあり、人体に近接して配置されるため、その磁力が強すぎると、磁石に近い部分で磁気による影響が大きくなりすぎてしまうため、比較的磁力の弱い永久磁石を用いざるを得なくなる。すると、人体の深部まで磁気を効率良く作用させることができず、磁気による効果が低減してしまう。
【０００５】
そこで、本発明は、より適切に磁気による効果を与えることができる磁気敷物および磁気治療器を提供しようとするものである。
【課題を解決するための手段】
【０００６】
本発明は、複数の永久磁石を散在させて埋込んだ磁気敷物において、それぞれの永久磁石に対応させて、当該永久磁石の表面側に、敷物の材料を圧縮成形した磁気緩和部を設けたことを最も主要な特徴とする。
【発明の効果】
【０００７】
本発明によれば、永久磁石の表面側に、敷物の材料を圧縮成形した磁気緩和部を設けたので、強い磁力の永久磁石を用いた場合にも、上記磁気緩和部によって永久磁石の磁気を緩和でき、しかも、このように磁気は緩和されるのであるが、強い磁力によって磁気の長い到達距離を確保できる。したがって、永久磁石を敷物に埋込む際に、その表面、つまり、人体から比較的近い部分に強い永久磁石を配置でき、これにより、永久磁石に近い部分も遠い部分（身体の深部）にもより適切に磁気による効果を与えることができる。
【発明を実施するための最良の形態】
【０００８】
以下、本発明の実施形態について図面を参照しながら詳細に説明する。
【０００９】
（第１実施形態）図１〜図４は、本発明の第１実施形態にかかる磁気敷物としての敷きマットを示している。このうち、図１は、敷きマットの展開状態の平面図、図２は、敷きマットの展開状態の底面図、図３は、図１中III−III線に沿った拡大断面図、図４は、敷きマットの永久磁石の埋込み手順を（ａ）〜（ｃ）に順を追って示す要部拡大断面図である。なお、図３および図４では、上側が人体側（表側）となる。
【００１０】
敷きマット１には、永久磁石２を散在させて埋め込んである。また、この敷きマット１には、座椅子に用いることができ、図１に示すように、長さ方向（図中上下方向）のほぼ中央部に幅方向（図中左右方向）に延在する屈曲部３を設けてあり、この屈曲部３を境にして図中ほぼ上半部が座部１Ｓとなり、図中ほぼ下半部が背部１Ｂとなっている。敷きマット１は、屈曲部３を中心として背部１Ｂを座部１Ｓに対して紙面手前側に屈曲させることにより座椅子に適用することができるが、勿論、図示するように座部１Ｓと背部１Ｂとを平坦状に展開して用いることもできる。
【００１１】
敷きマット１のマット部分１Ｍは、発泡したポリウレタンによって形成される表側層４と、同様に発泡したポリウレタンによって形成される裏側層５と、を接着により接合して形成してある。このとき、図４に示すように、表側層４および裏側層５の表面には、それぞれポリエステルや綿などで形成される表皮６、６ａを接着して覆ってある。
【００１２】
そして、図４（ａ）〜（ｃ）に示すように、表側層４と裏側層５とを接着する前段階で、それら表側層４と裏側層５との間に永久磁石２を挟み込むようになっており、このように両層４、５間に挟み込むことにより永久磁石２をマット部分１Ｍに埋込むようになっている。
【００１３】
永久磁石２は、図４（ｃ）に示すように、所定厚みを有する円盤状に形成され、その裏面（図中下側）に、周縁部が永久磁石２の外周から鍔状に張り出すバックヨーク２Ｂを有する。バックヨーク２Ｂは鉄板を円形に形成した円板状を成しており、そのバックヨーク２Ｂは永久磁石２の磁力で吸着されることにより永久磁石２の裏面に固定される。また、永久磁石２およびバックヨーク２Ｂは共に同じ金属材料でメッキ処理してある。
【００１４】
図４（ａ）は、表皮６を接着した状態の成形前の表側層４を示し、この表側層４を上述の裏側層５に接着する前に、図４（ｂ）に示すように、予め表側層４を熱成形して、それの内面４ａに永久磁石２を嵌挿する凹部７を設けるようになっている。凹部７は、永久磁石２の外形状に沿った断面形状となっている。そして、凹部７に永久磁石２を嵌挿した後、図４（ｃ）に示すように、表側層４と裏側層５とを接着により接合することになる。このとき、同時に、表側層４の表皮６の周縁部と裏側層５の表皮６ａの周縁部とを接着するようになっている。
【００１５】
ここで、本実施形態では、複数の永久磁石２を散在させて埋込んだ敷きマット１は、それぞれの永久磁石２に対応させて、永久磁石２の表面側（図中上側）に、敷きマット１の材料、つまり、マット部分１Ｍを構成する表側層４のポリウレタンを圧縮成形した磁気緩和部８を設けてある。この磁気緩和部８は、図４（ｂ）に示したように、凹部７を設けるために表側層４を熱成形する際に表裏方向から圧縮することにより形成される。
【００１６】
このとき、磁気緩和部８は、表側層４を熱圧縮する際に、表側の中央部が盛り上がるドーム状に形成してある。そして、図３に示すように、その磁気緩和部８のドーム状に盛り上げた頂部８Ｔを、永久磁石２を設けていない一般部分４ｂの表面よりδ分だけ引っ込ませてある。
【００１７】
以上の構成により、第１実施形態にかかる磁気敷物としての敷きマットによれば、使用者は敷きマット１の表側層４の表面側（図３中上面）に身体を横たえたり座ったりして使用することになる。
【００１８】
このとき、敷きマット１に散在させて埋込んだ永久磁石２の表面側に、マット部分１Ｍを構成する表側層４のポリウレタンを圧縮成形した磁気緩和部８を設けたので、強い磁力の永久磁石２を用いた場合にも、磁気緩和部８によって永久磁石２の磁気を緩和できる。しかも、このように磁気は緩和されるのであるが、強い磁力によって磁気の長い到達距離を確保できる。
【００１９】
したがって、永久磁石２を敷きマット１に埋込む際に、その表面、つまり、人体から比較的近い部分に強い永久磁石２を配置でき、これにより、永久磁石２に近い部分にも遠い部分（身体の深部）にもより適切に磁気による効果を与えることができる。
【００２０】
また、永久磁石２の裏面に、周縁部が永久磁石２の外周から鍔状に張り出すバックヨーク２Ｂを有しているので、敷きマット１の裏面側に磁力線Ｍ（図３参照）が出るのを抑制できる。これにより、敷きマット１の裏面側が他の部分に吸着するのを抑制できるため取り扱いが容易となり、また、床面に配置される他の電気機器、例えば、ヒートカーペットなどへの磁気影響を抑制できる。
【００２１】
さらに、磁気緩和部８は、マット部分１Ｍを構成する表側層４のポリウレタンを熱成形により圧縮して形成したので、比較的容易に磁気緩和部８を形成でき、また、その成形精度を高めることができる。
【００２２】
さらにまた、表側層４の内面４ａに永久磁石２を嵌挿する凹部７を設けたので、永久磁石２がずれるのを抑制して、使用者の所望部分に安定的に磁力を作用させることができる。
【００２３】
また、磁気緩和部８は、中央部が盛り上がるドーム状に形成したので、そのドーム形状を予め設定しておくことにより、永久磁石２の磁力線Ｍを適切に制御できるとともに、外観で永久磁石２の埋込み位置を容易に視認し易くなる。
【００２４】
さらに、磁気緩和部８のドーム状に盛り上げた頂部８Ｔを、永久磁石２を設けていない一般部分４ｂの表面よりδ分だけ引っ込ませたので、使用者の体重を一般部分４ｂで受けて、硬質の永久磁石２に身体が接触するのを抑制できるため、違和感を緩和できる。
【００２５】
（第２実施形態）図５は、本実施形態にかかる磁気敷物としての敷き布団の平面図、図６は、図５中VI−VI線に沿った要部拡大断面図である。以下では、上記第１実施形態と同様の構成要素については共通の符号を付与するとともに、重複する説明を省略する。なお、図６では上側が人体側（表側）となる。
【００２６】
本実施形態の磁気敷物は、図５に示すように、敷物としての敷き布団１０に適用した場合を示し、その敷き布団１０に永久磁石２を散在させて埋込むことにより、磁気敷き布団を構成してある。なお、図５中格子状に示した破線は縫い目である。
【００２７】
本実施形態の敷き布団１０は、図６に示すように上記第１実施形態の敷きマット１と同様に表側層１１と裏側層１２とを備え、それら表側層１１と裏側層１２との間に永久磁石２を挟み込むようになっている。
【００２８】
ここで、本実施形態では、図６に示すように、表側層１１を、それぞれの永久磁石２の表面側（図中上側）を覆う第一層１１Ａと、この第一層１１Ａのさらに表面側に配置される第二層１１Ｂと、によって構成してある。そして、第一層１１Ａを潰れにくい（つまり、圧縮性の低い）フェルトで形成し、第二層１１Ｂを潰れやすい（つまり、圧縮性の高い）綿や発泡したポリウレタンなどで形成することにより、第一層１１Ａを第二層１１Ｂよりも圧縮性の低い材料として形成してある。
【００２９】
また、本実施形態では、裏側層１２を表側層１１と同様に第一層１２Ａと第二層１２Ｂで構成し、第一層１２Ａを圧縮性が低いフェルトで形成して永久磁石２を載置するとともに、第二層１２Ｂを圧縮性が高い綿や発泡したポリウレタンなどで形成してある。
【００３０】
このとき、表側層１１と裏側層１２の第一層１１Ａ、１２Ａは、それぞれの外側面を表皮１３、１３ａで覆ってあるとともに、内側面も表皮１４、１４ａで覆ってある。表皮１３、１３ａ、１４、１４ａは綿やポリエステルで形成してあり、それらを第一層１１Ａ、１２Ａに接着してある。
【００３１】
そして、表側層１１と裏側層１２との間に永久磁石２を挟んで、それら表側層１１と裏側層１２とを接着により接合することになるが、永久磁石２は表側層１１の第一層１１Ａに嵌め込んで、その永久磁石２の表面（図６中上側）が直接に第二層１１Ｂに接触するとともに、永久磁石２の裏側はバックヨーク２Ｂが直接に裏側層１２に接触するようにしてある。なお、永久磁石２の位置ずれを抑制するため、表側層１１と裏側層１２の第二層１１Ｂ、１２Ｂを、相互に接着してある。
【００３２】
したがって、使用者は敷き布団１０の表側層１１の表面側（図６中上面）に身体を横たえて使用することになるが、このとき、使用者の体重によって敷き布団１０が押圧された際に、図６に示すように、表皮１３および表側層１１（第一層１１Ａおよび第二層１１Ｂ）が永久磁石２に接触する部分が圧縮されることになり、それらの圧縮部分が磁気緩和部１５となる。
【００３３】
以上の構成により第２実施形態の磁気敷き布団によれば、第１実施形態と同様に敷き布団１０に散在させて埋込んだ永久磁石２の表面側に、敷き布団１０を構成する表側層１１の第二層１１Ｂを圧縮させた磁気緩和部１５が設けられることになるので、強い磁力の永久磁石２を用いた場合にも磁気を緩和でき、かつ、強い磁力によって磁気の長い到達距離を確保できる。なお、磁気緩和部１５のスペック（材質、厚み等）は、敷き布団１０の表面での磁束密度が２００ｍＴ以下となるように調整される。
【００３４】
特に、本実施形態では、使用者の体重による押圧で磁気緩和部１５を形成することができるので、敷き布団１０を形成する際に予め磁気緩和部１５を形成しておく必要が無くなるため、敷き布団１０の構造を簡素化できる。また、永久磁石２の表側に隣接する第二層１１Ｂを厚み方向に、より適切に圧縮変形させて、より適切な磁気緩和部１５の形状を得ることができる。さらに、永久磁石２の横方向へのズレを第一層１１Ａで逃がすことができる。特に、本実施形態では永久磁石２の位置ずれを第一層１１Ａによって抑制できることになる。
【００３５】
（第３実施形態）図７は、本実施形態にかかる磁気治療器の断面図である。以下では、上記第１実施形態と同様の構成要素については共通の符号を付与するとともに、重複する説明を省略する。なお、図７では上側が人体側となる。
【００３６】
本実施形態にかかる磁気治療器１６は、扁平な円盤状に形成されており、比較的硬質な合成樹脂製のケース１７、１８内に、上記第１および第２実施形態と同様の永久磁石２およびバックヨーク２Ｂを収容したものである。この磁気治療器１６は、ケース１７の表面１７ａを人体に直接または間接的に当接させて使用する。なお、ケース１７、１８は、超音波溶着等で接合される。１９はパッキンである。
【００３７】
かかる構成によっても、人体側となる表面側のケース１７のうち永久磁石２より表面側となる部分が磁気緩和部２０となる。そして、永久磁石２の裏面側にバックヨーク２Ｂを設けたことによって、磁気を人体のより深い部分まで作用させることができる。したがって、上記第１実施形態と同様の効果を得ることができる。
【００３８】
ところで、本発明の磁気敷物および磁気治療器は、上記第１、第２実施形態に限定されることなく、本発明の要旨を逸脱しない範囲で他の実施形態を各種採用できる。例えば、敷物としては敷きマット１や敷き布団１０に限ることなく、クッション性をもって使用者を支持できる敷物であれば良く、例えば、座布団や椅子の座部あるいはカーペットなどにあっても本発明を適用することができる。また、磁気治療器の構造も、上記第３実施形態には限定されない。なお、上記第１、第２実施形態の磁気敷物が、磁気治療器としても機能することは言うまでもないことである。
【図面の簡単な説明】
【００３９】
【図１】本発明の第１実施形態にかかる磁気敷物としての敷きマットの展開状態の平面図である。
【図２】本発明の第１実施形態にかかる磁気敷物としての敷きマットの展開状態の底面図である。
【図３】図１中III−III線に沿った拡大断面図である。
【図４】本発明の第１実施形態にかかる磁気敷物としての敷きマットの永久磁石の埋込み手順を（ａ）〜（ｃ）に順を追って示す要部拡大断面図である。
【図５】本発明の第２実施形態にかかる磁気敷物としての敷き布団の平面図である。
【図６】図５中VI−VI線に沿った要部拡大断面図である。
【図７】本発明の第３実施形態にかかる磁気治療器の断面図である。
【符号の説明】
【００４０】
１  敷きマット（磁気敷物、磁気治療器）
２  永久磁石
２Ｂ  バックヨーク
４  表側層
４ｂ  敷きマットの一般部分
５  裏側層
７  凹部
８、１５、２０  磁気緩和部
８Ｔ  頂部
１０  敷き布団（磁気敷物、磁気治療器）
１１  表側層
１１Ａ  第一層
１１Ｂ  第二層
１２  裏側層
１６  磁気治療器
【図１】
2010051587.tif 000003
【図２】
2010051587.tif 000004
【図３】
2010051587.tif 000005
【図４】
2010051587.tif 000006
【図５】
2010051587.tif 000007
【図６】
2010051587.tif 000008
【図７】
2010051587.tif 000009